(57)【要約】      （修正有）【課題】胴体と地面の角度に関わらず胴体を持ち上げて降ろす簡単な動作だけで容易にボールを胴体の内側に収容することができ、テーブルの下部など、胴体を持ち上げることが困難な所でも胴体を持ち上げてボールを収容することができるボール収集装置を提供する。【解決手段】ボール収集装置は、スティック状の棒１００と、棒から回動可能に備えられ、かつ上部及び下部が開口した筒形状の胴体２００と、胴体の下部開口部を横切るように相互平行に配列されて胴体の下端に結合される複数の弾性ワイヤ３００と、胴体の側面を棒の上側外周縁から押し出すことができるように棒の上側外周縁と胴体の側面に両端が各々結合されるリターンスプリング４００とを含む。【選択図】図３
0003211157.tif 000002
【実用新案登録請求の範囲】
【請求項１】
床に落ちたボールを収集するボール収集装置であって、
スティック状の棒と、
前記棒から回動可能に備えられ、かつ上部及び下部が開口した筒形状の胴体と、
前記胴体の下部開口部を横切るように相互平行に配列されて前記胴体の下端に結合される複数の弾性ワイヤと、
前記胴体の側面を前記棒の上側外周縁から押し出すことができるように前記棒の上側外周縁と前記胴体の側面に両端が各々結合されるリターンスプリング、
を含むことを特徴とする、ボール収集装置。
【請求項２】
前記棒から前記胴体が設定角度以上回動されないように前記胴体に結合されて前記棒の下側外周縁を支持するストッパーを含むことを特徴とする、請求項１に記載のボール収集装置。
【請求項３】
前記胴体は、奥まった所のボールが収集できるように菱形状に形成されて、いずれか一つの角に前記棒が結合され、かつ一つ以上の角が折り曲げられて平坦な面を形成することを特徴とする、請求項２に記載のボール収集装置。
【請求項４】
前記胴体の上部開口部を覆うように前記胴体にヒンジ結合されるカバーを含むことを特徴とする、請求項３に記載のボール収集装置。
【請求項５】
前記カバーはドーム形状であることを特徴とする、請求項４に記載のボール収集装置。
【請求項６】
前記胴体を前記棒方向に回動させることができるように前記胴体の一側に結合されるリバースワイヤを含むことを特徴とする、請求項１に記載のボール収集装置。
【請求項７】
前記リバースワイヤを引っ張ることができるように前記棒の他端に備えられるハンドルを含むことを特徴とする、請求項６に記載のボール収集装置。
【考案の詳細な説明】
【技術分野】
【０００１】
本考案はボール収集装置に関し、より詳しくは、胴体と地面の角度に関わらず胴体を持ち上げて降ろす簡単な動作だけでも容易にボールを胴体の内側に収容することができ、また、テーブルの下部など、胴体を持ち上げることが困難な所でも胴体を持ち上げてボールを収容することができるボール収集装置に関する。
【背景技術】
【０００２】
卓球競技または練習中、特に卓球練習中には多量の卓球ボールが使われるので、練習が終わった後、多量の卓球ボールが卓球場の床に散らばるようになる。したがって、このような卓球ボールを回収しなければならないが、これをいちいち人の手で拾うのは、練習終了後の疲れた身体に負担のかかる作業である。
【０００３】
また、ゴルフパット練習などの練習中にもゴルフボールがテーブルの下など、手が届かない所に入る場合、これを回収するために床に膝をついて下に潜らなければならないなど、小型ボールを回収するために大きい努力をしなければならない不便性があった。
【０００４】
したがって、このような問題を解決するために、弾性のあるワイヤを筒形状の胴体の内側に平行に配列させた後、胴体をボールの上方から押さえてボールがワイヤの間を押し込んで胴体の内側に収容されるようにするボール収集装置が創案された。
【０００５】
しかしながら、このようなボール収集装置は胴体と棒が固定されることによって、棒を操作して胴体を地面と水平に上部から下部に押えなければボールが胴体の内側に収容されないので、ユーザの細密な操作が求められる問題があった。
【０００６】
したがって、地面と胴体の形成角度に関わらず胴体を無造作に降ろしても容易にボールの収集が可能なボール収集装置の開発が必要となった。
【先行技術文献】
【特許文献】
【０００７】
【特許文献１】韓国公開実用新案第２０−２０１１−００１００６５公報
【考案の概要】
【考案が解決しようとする課題】
【０００８】
本考案は、胴体と地面の角度に関わらず胴体を持ち上げて降ろす簡単な動作だけでも容易にボールを胴体の内側に収容することができるボール収集装置を提供することをその目的とする。
【０００９】
また、本考案はテーブルの下部など、胴体を持ち上げることが困難な所でも胴体を持ち上げてボールを収容することができるボール収集装置を提供することをその目的とする。
【課題を解決するための手段】
【００１０】
本考案は、床に落ちたボールを収集するボール収集装置において、スティック状の棒；前記棒から回動可能に備えられ、かつ上部及び下部が開口した筒形状の胴体；前記胴体の下部開口部を横切るように相互平行に配列されて前記胴体の下端に結合される複数の弾性ワイヤ；前記胴体の側面を前記棒の上側外周縁から押し出すことができるように前記棒の上側外周縁と前記胴体の側面に両端が各々結合されるリターンスプリング；を含む。
【００１１】
また、本考案は、前記棒から前記胴体が設定角度以上回動されないように前記胴体に結合されて前記棒の下側外周縁を支持するストッパーを含む。
【００１２】
また、本考案の前記胴体は、奥まった所のボールが収集できるように菱形状に形成されて、いずれか一つの角に前記棒が結合され、かつ一つ以上の角が折り曲げられて平坦な面を形成する。
【００１３】
また、本考案は、前記胴体の上部開口部を覆うように前記胴体にヒンジ結合されるカバーを含む。
【００１４】
また、本考案の前記カバーはドーム形状である。
【００１５】
また、本考案は、前記胴体を前記棒方向に回動させることができるように前記胴体の一側に結合されるリバースワイヤを含む。
【００１６】
また、本考案は、前記リバースワイヤを引っ張ることができるように前記棒の他端に備えられるハンドルを含む。
【考案の効果】
【００１７】
本考案は、胴体が棒から回動可能に備えられ、リターンスプリングが備えられることによって、胴体と地面の角度に関わらず胴体を持ち上げて降ろす簡単な動作だけでも容易にボールを胴体の内側に収容することができる効果がある。
【００１８】
また、本考案はリバースワイヤ及びハンドルが備えられることによって、テーブルの下部など、胴体を持ち上げることが困難な所でも胴体を持ち上げてボールを収容することができる効果がある。
【図面の簡単な説明】
【００１９】
【図１】本考案の実施形態に係るボール収集装置の斜視図である。
【図２】本考案の実施形態に係るボール収集装置の断面図である。
【図３】本考案の実施形態に係るボール収集装置の使用状態図である。
【図４】本考案の他の実施形態に係るボール収集装置の斜視図である。
【図５】本考案の他の実施形態に係るボール収集装置の使用状態図である。
【図６】本考案の更に他の実施形態に係るボール収集装置の斜視図である。
【図７】本考案の更に他の実施形態に係るボール収集装置の背面斜視図である。
【考案を実施するための形態】
【００２０】
以下、本考案の実施形態に対して添付の図面を参照して詳細に説明する。
【００２１】
本考案は、卓球ボール、ゴルフボールなど、球形の小型ボールを収集する装置に関するものであって、図１から図７に示すように、スティック状の棒１００と、棒１００から回動可能に備えられ、かつ上部及び下部が開口した筒形状の胴体２００と、胴体２００の下部開口部を横切るように相互平行に配列されて胴体２００の下端に結合される複数の弾性ワイヤ３００と、棒１００から胴体２００が設定角度以上回動されないように胴体２００に結合されて棒１００の下側外周縁を支持するストッパー２１０と、棒１００の上側外周縁と胴体２００の側面に両端が各々結合されるリターンスプリング４００と、胴体２００の上部開口部を覆うように胴体２００の上端にヒンジ結合されるカバー２２０とを含んで構成される。
【００２２】
棒１００は、スティック状に形成されて一端が胴体２００の一側または胴体２００に結合されたストッパー２１０にヒンジ結合され、一端に備えられた胴体２００を持ち上げるか降ろす等の動作を行う役目をする。
【００２３】
このような棒１００は、長さが調節できる構造であって、通常の山登りスティックなどに適用される長さ調節部材１０１、または家庭用モップなどに適用される長さ調節部材１０１を適用することができ、これは公知の構成であって、詳細な説明は省略する。
【００２４】
胴体２００は収集されたボールを収容する役目をし、このために上部及び下部が開口された筒形状に形成されて、棒１００の一端にヒンジ結合されるか、または棒１００の一端にヒンジ結合されたストッパー２１０に結合されて棒１００から回動可能に備えられる。
【００２５】
このような胴体２００は奥まった所に落ちたボールを容易に回収できるように菱形状に形成され、菱形のある一角に棒１００が結合されることによって、角部分をテーブル及び隅などに容易に配置できるようにする。この際、棒１００との結合が容易であるように、棒１００が結合される部位の角は折り曲げられて平坦な面を形成することができ、または、四つの角に全て平坦な面が形成されて８角形の形状を形成することもできる。勿論、この場合にも隅のボールを容易に回収する目的によって、菱形を形成する面が、角部分の平坦な面より広く形成されることが好ましい。
【００２６】
一方、胴体２００は内側に収集されたボールの量を外部から確認することができ、また胴体２００を形成する材料の重さが低減できるように、側面に複数のホール２０１を穿孔して形成できる。ホール２０１は複数個が縦と横に規則的な配列をなすように形成され、そのサイズ及び形状は内側に収容されたボールが外部に離脱しない限度で自由に変形可能である。
【００２７】
また、胴体２００は上側または下側端部に内側または外側に巻き込まれた形状の補強部２０２が形成される。通常、金属板で形成される胴体２００の特性上、弾性ワイヤ３００の復原力または使用上の押圧力によりその形状が変形する可能性があるが、この際、補強部２０２がこのような外力に対して対抗力を有するようにすることで、胴体２００が形状を維持できるようにする。
【００２８】
弾性ワイヤ３００は、床のボールを収集する時には広がってボールが胴体２００の内部に収容されるようにし、ボールが収集された以後にはボールが胴体２００の下方に離脱しないようにする役目をし、このために弾性ワイヤ３００はスプリング、釣り糸、またはその他の弾力及び回復力を有する素材で形成されて、胴体２００の下部開口部を横切るように相互平行に配列されて胴体２００の下端に結合される。この際、弾性ワイヤ３００の間の距離は収集するボールの直径より小さいものが好ましい。
【００２９】
弾性ワイヤ３００は一つのワイヤを胴体の下端部に形成されたワイヤ結合ホールに連続して通過させることによって構成できるが、複数の弾性ワイヤ３００が独立的に胴体３００の下端に備えられたワイヤ結合具２３０に結合され、かつ各々の弾性ワイヤ３００の両端を互いに異なるワイヤ結合具２３０に結合させて構成することによって、今後、弾性ワイヤ３００の取替え時、問題が発生した弾性ワイヤ３００のみを取替えることができるようにすることが好ましい。
【００３０】
このような弾性ワイヤ３００の作動状態を説明すると、図３のように、棒１００を用いて胴体２００をボールの上に位置させた後、押さえるようにすれば、弾性ワイヤ３００が胴体２００と棒１００の重さ及びユーザの押圧力によりボールの外周縁に沿って拡張され、ボールが胴体２００の内部に収容される。以後、弾性ワイヤ３００は元の位置に回復し、ボール自体の重さによってはボールが胴体２００の内部に離脱する程度に広がらないので、ボールを安定的に収容できるようになる。
【００３１】
ストッパー２１０は、胴体２００の棒１００に対する角度が設定角度以上回動しないように棒１００の下側外周縁を支持する役目をし、このために胴体２００の一側に結合されて構成される。
【００３２】
このようなストッパー２１０は別の構成で棒１００を支持する役目をすることもできるが、好ましくは、棒１００の下側外周縁を囲む逆アーチ型の板形に形成されて胴体２００の一側にアーチ型構造が設定角度を形成するように付着結合される。このようなストッパー２１０の内側に棒１００がヒンジ結合されて、上方には胴体２００の側面まで回動可能であるが、下方にはストッパー２１０の逆アーチ型構造が形成された角度以上回動できなくなる。
【００３３】
リターンスプリング４００は、胴体２００の側面を前記棒１００の上側外周縁から押し出す役目をし、棒１００の上側外周縁と胴体２００の側面に両端が各々結合されて構成される。このようなリターンスプリング４００は、胴体２００をボールの上から降ろし、押さえる時に胴体２００が、棒１００の方向に急に回動され、ボールが滑って回収し損ねることを防止する役目をする。
【００３４】
このために、棒１００の上側外周縁及び胴体２００の側面上端にはリターンスプリング４００を嵌め込むことができるように別途のボルト４１０がさらに具備できる。ボルト４１０は、図２，３に示すように、リターンスプリング４００を固定するための役目をし、かつ棒１００に対する胴体２００の最小角度を制限することによって、ボールが胴体２００の内側に容易に引き込まれない状況で棒１００と胴体２００が迅速に密着して大きい力を出すことができるようにする役目をする。
【００３５】
即ち、図３に示すように、胴体２００をボールの上に上げて置いて押さえる時、棒１００と結合された部分は棒１００の重さ及びユーザの押圧力により下方に向けるが、ボールを中心に胴体が上方に回動され、ボールが滑って回収し損ねる可能性がある。したがって、胴体２００を押さえる時、胴体２００の外側、即ち棒１００が結合された側面の対向する側面が上方に回動されないように胴体２００を棒１００の上側外周縁から押し出す装置を必要とするようになる。このような役目のためにリターンスプリング４００が備えられる。
【００３６】
一方、ボルト４１０はワッシャーとナットが挿入された形態、またはボルトの頭の下端部が拡張された形態を有することもできるが、この場合、リターンスプリング４００はワッシャーまたはボルトの頭の下端部により支持され、ボルト４１０が胴体または棒に挿入される程度を可変することによって、リターンスプリング４００の反発力が可変されて棒１００が胴体２００を押さえる時、胴体２００がボールにより逆方向に回動される程度を調節できるようになる。
【００３７】
したがって、胴体２００が棒１００から回動可能に備えられながらもボルト４１０により反発力の調節が可能なリターンスプリング４００によって安定的にボールを弾性ワイヤ３００の内側に引き込むことができるので、ボールを収集するために胴体２００の角度を地面と水平に合せる必要無しで、胴体２００の終端を地面に当てて、そのまま棒１００を押さえるだけでよいので、ボールの収集のために別途の細密な操作が必要でない効果を有するようになる。
【００３８】
一方、リターンスプリング４００は、図１から図５のように、圧縮スプリング形態に構成することができるが、図６のようにトーションスプリング形態に構成することもできる。リターンスプリング４００がトーションスプリングの形態に構成される場合にはリターンスプリング４００の両端を結合するために胴体２００と棒１００に各々スプリング結合ホールがさらに形成できる。
【００３９】
カバー２２０は、胴体２００の内側に収容されたボールが外部に流出しないようにする役目をし、このために胴体２００の上部開口部を覆う形態となるよう胴体２００にヒンジ結合されて構成される。
【００４０】
このようなカバー２２０は内側に収容されたボールの数量を確認することができるように通孔２２ａを多数穿孔して形成することができ、または透明な合成樹脂素材で形成できる。
【００４１】
また、カバー２２０は収容できるボールの数量が増加するように胴体２００の上部に膨れているドーム形状に形成されることが好ましいが、これに限定するものではない。
【００４２】
一方、カバー２２０は一側に鉄板が付着され、これに対向する胴体２００の一側に磁石が備えられて不意にカバー２２０が開放される現象が防止できるように構成することができ、磁石を前後進させるワイヤと、ワイヤを引っ張ることができるレバー及び磁石を元の位置に回復させるスプリングを含んで構成されることによって、棒１００を持ったままで胴体２００を引っくり返した後、レバーを引っ張ってカバー２２０が自動で開放されるように構成することもできる。
【００４３】
また一方、カバー２２０は移動または保管時のみにカバー２２０を胴体２００に堅く固定できるように固定装置２４０をさらに含むことができる。このような固定装置は、ケース２４１と、ケース２４１の外部に突出するスティック状のボタン２４２を含んで構成されるが、ボタン２４２を一回押さえれば、ボタン２４２の上端がケース２４１に挿入された状態に固定され、その状態でボタン２４２をもう一度押さえれば、ボタン２４２がケース２４１から長く突出した状態に固定される構造であって、通常のプッシュロックスイッチの動作と同一な動作でなされる。この際、ボタン２４２は磁力を帯びるように構成され、ボタン２４２の位置に対応するカバー２２０の端部には鉄板などの磁力に引かれる金属板が付着されて、移動または保管時にはボタン２４２を長く突出させてカバー２２０が胴体２００に堅く付着できるようにし、使用時にはボタン２４２を引っ込ませて胴体２００を傾けたり引っくり返したりした時、カバー２２０が胴体２００から容易にオープンできるようにする。この際、ボタン２４２を鉄製で構成し、カバー２２０のボタンに対応する端部に磁石を備えることもできる。
【００４４】
一方、さらに奥まった場所のボールを収集するためには、棒１００の長さを伸ばし、水平に近い状態にして、その状態で棒１００の先の胴体２００を持ち上げて降ろさなければならないので、手首に非常に無理がかかるようになる。このために、本考案の他の実施形態では棒１００と胴体２００を床に当てた後、胴体２００の外側のみを持ち上げた後、降ろすことができるようにリバースワイヤ１１０とハンドル１２０がさらに備えられる。
【００４５】
リバースワイヤ１１０は、胴体２００を棒１００の上側外周縁方向に回動させることができるように胴体２００の一側に結合されて棒１００の他端部まで延長形成される。このようなリバースワイヤ１１０は、引っ張る時、胴体２００が棒１００の上側外周縁方向に回動され、放した時、胴体２００がリターンスプリング４００により底面方向に回動され、下部のボールを胴体２００の内側に収容できるようになる。
【００４６】
一方、棒１００の外周縁にはリバースワイヤ１１０を引っ張る時にリバースワイヤ１１０のテンションが適切に維持されるようにワイヤ固定リングがさらに備えられることが好ましい。また、リバースワイヤ１１０は胴体２００の一側上端に固定されて胴体２００を容易に回動させることができるように備えられ、かつその終端が棒１００の下側外周縁上に備えられるハンドル１２０に固定されなければならないので、棒１００を半周囲む形態に棒１００の他端部まで延長されることが好ましい。
【００４７】
また、リバースワイヤ１１０は単独に備えられることもできるが、外部の異質物及び湿気による腐食から保護できるように、通常の自転車ブレーキケーブルのように合成樹脂材質のチューブ内側にコアとなるワイヤが挿入されて、チューブの内側でスライディング可能に備えられる形態に構成されることが好ましい。この場合、チューブの両端が棒１００の一端及び他端に固定され、チューブの内側にリバースワイヤ１１０が備えられて両側端部がハンドル１２０及び胴体２００に各々結合される。したがって、ハンドル１２０をにぎれば、チューブの移動無しでチューブの内側のリバースワイヤ１１０のみスライディングされながら胴体２００と棒１００がなす角度を小さくなるようにすることができる。
【００４８】
ハンドル１２０は、リバースワイヤ１１０を引っ張る役目をし、棒１００の他端部の下側外周縁上に備えられる。このようなハンドル１２０は通常の自転車ブレーキのような構造であって、ハンドル１２０のレバーと、ハンドル１２０のレバーを支持する支持台によりてこの原理によりハンドル１２０のレバーを引っ張る時、ワイヤが引っ張られるようにする構造であり、公知の構造であるので詳細な説明は省略する。
【００４９】
また、このような本考案の他の実施形態でも、リターンスプリング４００を固定するボルト４１０が棒１００または胴体２００に挿入される程度を可変することによって、リターンスプリング４００の反発力を調節して、ハンドル１２０をにぎってから放した時、胴体２００が地面に接近する速度を可変させることができるので、ユーザの腕力またはボールのサイズによって適切な反発力を選択できるようになる。
【００５０】
前述した構成からなる本考案の使用状態を説明すると、図３に示すように、棒１００を持ち上げて胴体２００をボールの上部に位置させる。この際、胴体２００は地面と平行しなくてもよく、図３のように、胴体２００の棒１００から遠い部分を先に地面に接触させても問題ない。
【００５１】
図３のように、胴体２００の遠い部分を先に地面に接触させた場合、そのまま棒１００を押さえれば、リターンスプリング４００により胴体２００の遠い部分はそのまま地面に接触されたまま胴体２００の近い部分が地面に接触され、ボールが弾性ワイヤ３００を横に押しながら胴体２００の内側に収容される。
【００５２】
一方、図面に図示してはいないが、胴体２００の近い部分、即ち棒１００に結合された部分が先に地面に触れた場合には、胴体２００の近い点を地面に接触させたまま棒１００を立てれば、リターンスプリング４００により胴体２００の遠い側が地面に接触され、ボールが胴体２００の内側に収容される。
【００５３】
したがって、従来の技術はボールを収容させるために胴体２００を地面と水平に維持させたまま胴体２００を地面に接触させなければならない一方、本考案では無造作に胴体２００の棒１００から近い側または遠い側のどの部分を先に地面に接触させてもそのままに棒１００を押さえたり立てたりする動作を通じてボールを収容することができるので、別の細密な操作無しでボールを収集することができる効果を有するようになる。
【００５４】
一方、本考案の他の実施形態による使用状態を説明すると、図５にテーブルの下など、さらに奥まった所に位置したボールを収集するための使用状態図が図示されている。
【００５５】
図５を参照すると、まず隅に位置したボールを収集するために、胴体２００を地面に密着させた後、ハンドル１２０をにぎってリバースワイヤ１１０を引っ張る。リバースワイヤ１１０が引っ張られれば、胴体２００が棒１００の上側外周縁方向に回動されるが、この際、棒１００を押し込んで胴体２００の下部にボールが位置するようにする。
【００５６】
以後、ハンドル１２０を放せば、リターンスプリング４００により胴体２００が外側に回動するようになり、胴体２００の遠い側面が地面に触れながらボールが胴体２００の内側に収容されるようになる。
【００５７】
前述した構成でなされた本考案は、胴体２００が棒１００から回動可能に備えられ、リターンスプリング４００が備えられることによって、胴体２００と地面の角度に関わらず胴体２００を持ち上げて降ろす簡単な動作だけでも容易にボールを胴体２００の内側に収容することができる効果がある。
【００５８】
また、本考案はリバースワイヤ１１０及びハンドル１２０が備えられることによって、テーブルの下部など、胴体２００を持ち上げることが困難な所でも胴体２００を持ち上げてボールを収容することができる効果がある。
【符号の説明】
【００５９】
１００    棒
１１０    リバースワイヤ
１２０    ハンドル
２００    胴体
２１０    ストッパー
２２０    カバー
３００    弾性ワイヤ
４００    リターンスプリング
【図１】
0003211157.tif 000003
【図２】
0003211157.tif 000004
【図３】
0003211157.tif 000005
【図４】
0003211157.tif 000006
【図５】
0003211157.tif 000007
【図６】
0003211157.tif 000008
【図７】
0003211157.tif 000009